(57)【要約】  画像表示装置（１０）は、表示パネル（１０２）と、平坦部（１１１Ａ）及び側壁部（１１１Ｂ）を含む下フレーム（１１１）と、平坦部（１１１Ａ）に行列状に配置される光源（１１３）と、光源（１１３）とは離れた平坦部（１１１Ａ）上の位置で行列状に配置されるサポートピン（１１２）と、光源（１１３）の出射光を拡散して表示パネル（１０２）に向けて出射する拡散板（１０６）と、サポートピン（１１２）の途中で拡散板（１０６）と下フレーム（１１１）との間に支持され、外縁が表示パネル（１０２）の有効領域の外縁と略一致し、光源（１１３）の出射光の一部を拡散板（１０６）がある側に透過させる輝度均一板（１０７）とを備え、輝度均一板（１０７）は、下フレーム（１１１）との距離が平坦部（１１１Ａ）の外縁から側壁部（１１１Ｂ）の外縁にかけて漸減するよう、拡散板（１０６）と側壁部（１１１Ｂ）との間で側壁部（１１１Ｂ）側に湾曲する。
2018147268.tif 000002
【特許請求の範囲】
【請求項１】
表示パネルと、
前記表示パネルの有効領域より小さい略平坦な面を有する平坦部、及び前記平坦部の外縁から立ち上がり、正面視において前記有効領域の外縁に達する側壁部を含む下フレームと、
前記平坦部に略等間隔で行列状に配置される複数の光源と、
前記複数の光源のそれぞれとは離れた前記平坦部上の位置で、略等間隔の行列状に配置される、柱状の複数のサポートピンと、
前記複数のサポートピンの先端部及び前記下フレームで支持され、入射する前記複数の光源の出射光を拡散して前記表示パネルに向けて出射する板状の拡散板と、
前記複数のサポートピンの途中で、前記拡散板と前記下フレームとの間に支持され、外縁が前記有効領域の外縁と略一致し、前記複数の光源の出射光の一部を前記拡散板がある側に透過させるシート状の輝度均一板とを備え、
前記輝度均一板は、前記下フレームとの距離が前記平坦部の外縁から前記側壁部の外縁にかけて漸減するよう、前記拡散板と前記側壁部との間で前記側壁部側に湾曲する
画像表示装置。
【請求項２】
前記側壁部は、外縁を起点として前記拡散板に向かって立設する立ち壁を有し、
前記輝度均一板の外縁は、前記起点と略一致する
請求項１に記載の画像表示装置。
【請求項３】
前記複数のサポートピンは、前記複数の光源のうち、行列方向に隣接する２個の光源から等距離の点を結ぶ直線上に位置し、
さらに、前記直線上であって、前記複数のサポートピン及び前記複数の光源よりも前記平坦部の外縁に近い位置において、前記輝度均一板を前記下フレームと前記拡散板との間で支持する、少なくとも２本で一組の、柱状の補助サポートピンを備え、
前記一組の補助サポートピン間の間隔は、前記複数のサポートピン間の間隔よりも狭い
請求項１又は２に記載の画像表示装置。
【発明の詳細な説明】
【技術分野】
【０００１】
本開示は、液晶セル等の表示パネルを備える画像表示装置に関する。
【背景技術】
【０００２】
特許文献１は、輝度ムラが少ない均一な面照明光を得るための光透過反射板を含む面光源ユニットを直下型のバックライトとして用いる表示装置を開示する。
【先行技術文献】
【特許文献】
【０００３】
【特許文献１】特開２０１１−１５１００２号公報
【発明の概要】
【発明が解決しようとする課題】
【０００４】
本開示は、薄く見える外観を備え、かつ画面全体で輝度の均一性のより高い表示が可能な画像表示装置を提供する。
【課題を解決するための手段】
【０００５】
本開示における画像表示装置は、表示パネルと、表示パネルの有効領域より小さい略平坦な面を有する平坦部、及び当該平坦部の外縁から立ち上がり、正面視において上記の有効領域の外縁に達する側壁部を含む下フレームと、平坦部に略等間隔で行列状に配置される複数の光源と、複数の光源のそれぞれとは離れた平坦部上の位置で、略等間隔の行列状に配置される、柱状の複数のサポートピンと、複数のサポートピンの先端部及び下フレームで支持され、入射する複数の光源の出射光を拡散して表示パネルに向けて出射する板状の拡散板と、複数のサポートピンの途中で、拡散板と下フレームとの間に支持され、外縁が上記の有効領域の外縁と略一致し、複数の光源の出射光の一部を拡散板がある側に透過させるシート状の輝度均一板とを備え、輝度均一板は、下フレームとの距離が平坦部の外縁から側壁部の外縁にかけて漸減するよう、拡散板と側壁部との間で側壁部側に湾曲する。
【発明の効果】
【０００６】
本開示における画像表示装置によれば、薄く見える外観を備え、かつ画面全体で輝度の均一性のより高い表示が可能である。
【図面の簡単な説明】
【０００７】
【図１】図１は、各実施の形態に係る液晶テレビの外観斜視図である。
【図２】図２は、各実施の形態に係る液晶モジュールの分解斜視図である。
【図３】図３は、各実施の形態に係る液晶モジュールの分解斜視図である。
【図４】図４は、上記の液晶モジュールにおけるサポートピンの取付状況を説明するための模式断面図である。
【図５】図５は、実施の形態１に係る液晶モジュールの構成を説明するための模式断面図である。
【図６】図６は、実施の形態１に係る液晶モジュールの効果を説明するための比較例の模式断面図である。
【図７】図７は、実施の形態２に係る液晶モジュールの構成を説明するための模式断面図である。
【図８】図８は、実施の形態３に係る液晶モジュールの構成を説明するための模式断面図である。
【図９】図９は、実施の形態３に係る液晶モジュールにおいて、サポートピンの周辺で輝度均一板に生じ得る撓みを説明するための模式断面図である。
【図１０】図１０は、実施の形態３の変形例に係る液晶モジュールの構成を説明するための模式断面図である。
【図１１】図１１は、実施の形態３の変形例に係る液晶モジュールの構成を説明するための正面図である。
【発明を実施するための形態】
【０００８】
本願発明者は、従来の画像表示装置に関し、以下の問題が生じることを見出した。
【０００９】
従来の液晶テレビ等の画像表示装置では、表示パネルを取り囲むように含む表示モジュールは、大まかには前後に薄い直方体であるが、より厳密には、その背面側の四辺が比較的大きく面取りされたような形状を有する。このような端面での厚さの小さい形状とすることで、表示モジュールそのものを薄く見せるという外観上の効果を得ている。
【００１０】
このような形状の表示モジュールの内部では、周辺部分の厚さがその他の部分に比べて小さい。
【００１１】
ところがこのような画像表示装置では、周辺部分においては内部空間の厚さ方向の制約上、その他の部分と共通の表示機構が採用できない。そのため、画面全体で均一な画質を得るのが困難であるという問題がある。より具体的には、直下型バックライト方式を用いる画像表示装置では、画面の中心から周辺にわたって均一な輝度を得るのが困難な場合がある。
【００１２】
本開示はこのような知見に基づいてなされたものであり、本願発明者は、上記のような外観に関する要求に応えつつ、かつ、画面全体で輝度の均一性のより高い表示が可能な画像表示装置の構造の着想を得た。
【００１３】
以下、適宜図面を参照しながら実施の形態を説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、本願発明者は、当業者が本開示を十分に理解するために添付図面および以下の説明を提供するのであって、これらによって請求の範囲に記載の主題を限定することを意図するものではない。
【００１５】
以下、液晶テレビを構成する画像表示装置を例に用いて、図を参照して複数の実施の形態について説明するが、それに先立って、各実施の形態及びその変形例に共通して関連する画像表示装置の構造の概要について説明する。実施の形態間での差異は後述する。
【００１６】
また、以下の実施の形態において、説明の便宜上、画像表示装置の上下方向をｙ軸の方向と一致させ、前後方向をｚ軸の方向と一致させ、左右方向をｘ軸の方向と一致させているが、方向のこれらの対応付けは、本開示に係る画像表示装置の製造時又は使用時における姿勢を限定するものではない。
【００１７】
（画像表示装置の構成概要）
図１は、各実施の形態に係る画像表示装置１０の外観斜視図である。図２及び図３はそれぞれ、各実施の形態に係る液晶モジュール１００の分解斜視図である。
【００１８】
画像表示装置１０は例えば液晶テレビであり、図１に示されるように、液晶モジュール１００と、ベゼル１０１と、バックカバー１０３と、スタンド２００とを備える。
【００１９】
液晶モジュール１００は静止画及び動画を表示可能な映像表示のためのモジュールであり、表示パネル１０２を備える。
【００２０】
表示パネル１０２は、以下に説明する各実施の形態では、いわゆる液晶セルであり、複数のガラス板の間に液晶が封入された素子である。表示パネル１０２は、画像表示装置１０に入力された映像信号に基づいて制御され、映像を表示する。
【００２１】
また、液晶モジュール１００はスタンド２００を用いて、床又は台の上に立てることができる。ただし、液晶モジュール１００は、スタンド２００を用いずに、他の取付具を用いて壁に掛けられるか又は埋め込まれたり、天井から吊り下げられたりしての画像表示装置１０としての使用が可能であってもよい。
【００２２】
樹脂で形成されるベゼル１０１は、画像表示装置１０の四辺それぞれに対応するよう分割して形成され、例えばネジを用いて相互に結合される。ベゼル１０１は、後述の表示パネル１０２から下フレーム１１１までの複数の部品を、バックカバー１０３と共に挟持する。
【００２３】
上記構成を有する液晶モジュール１００はさらに、図２又は図３に示されるように、モールドフレーム１０４と、光学シートユニット１０５と、拡散板１０６と、輝度均一板１０７と、反射シート１０８と、ＬＥＤシート１０９と、中継シート１１０と、下フレーム１１１と、サポートピン１１２とを備える。
【００２４】
モールドフレーム１０４は、光学シートユニット１０５からＬＥＤシート１０９及び中継シート１１０までの複数の部品（いわゆるバックライトユニット）を、下フレーム１１１と挟んで支持する。なお、図３ではモールドフレーム１０４の図示を省略している。
【００２５】
光学シートユニット１０５は、光学特性の異なる２、３種類のシートを複数枚重ねて構成される。例えば、光学シートユニット１０５には、縦方向のプリズムシート、横方向のプリズムシート及び拡散シートが含まれる。
【００２６】
拡散板１０６は、ＬＥＤシート１０９上に配置された、画像表示装置１０の光源である複数のＬＥＤ（Ｌｉｇｈｔ−Ｅｍｉｔｔｉｎｇ  Ｄｉｏｄｅ）１１３から入射する光を拡散して、表示パネル１０２に向けて出射する。
【００２７】
輝度均一板１０７は、ＬＥＤシート１０９上に配置された複数のＬＥＤ１１３からの光（以下、出射光ともいう）を、場所によって異なる輝度の均一度を高めて拡散板１０６がある側に透過させる。輝度均一板１０７は、例えば微細な気泡を密に含むＰＥＴ（ｐｏｌｙｅｔｈｙｌｅｎｅ  ｔｅｒｅｐｈｔｈａｌａｔｅ）等の樹脂製で、良好な光反射性を有するシート状の部材である。また、輝度均一板１０７には、径の異なる孔、つまり開口が全体にわたって多数形成されている。より具体的には、各ＬＥＤ１１３の直上にある孔の径は極めて小さく、最寄りのＬＥＤ１１３から遠い孔ほど径が大きい。ＬＥＤ１１３の出射光は、その一部がこれらの孔を通って反対側、つまり拡散板１０６のある側に抜ける（本開示では「光が輝度均一板１０７を透過する」とも表現している）。輝度均一板１０７は、所定の距離にある光源からの光の単位面積当たりの透過量を均一に近づけるようにこれらの孔の個数、大きさ及び分布が調整されており、この構成によって、各ＬＥＤ１１３が出射した光の配向特性をなだらかにする。輝度均一板１０７によって配向特性がなだらかにされたＬＥＤ１１３からの光は、拡散板１０６によって輝度ムラがさらに抑えられるよう拡散されてから表示パネル１０２に向けて出射される。
【００２８】
反射シート１０８は、ＬＥＤシート１０９上に配置された複数のＬＥＤ１１３のそれぞれに対応する位置及び大きさの孔が設けられたシートであり、画像表示装置１０の正面側の面全体で光を反射する。反射シート１０８は、表示パネル１０２の有効領域より小さい略平坦な面を有する平坦部と、平坦部の四辺の端部から立ちあがり、画像表示装置１０の正面側から見て表示パネル１０２の有効領域の外縁に達する側壁部とを含み、全体として後述の下フレーム１１１に概ね沿う形状を有する。
【００２９】
ＬＥＤシート１０９は、複数のＬＥＤ１１３が配置されたフレキシブルプリント基板（以下、ＦＰＣ（Ｆｌｅｘｉｂｌｅ  Ｐｒｉｎｔｅｄ  Ｃｉｒｃｕｉｔｓの頭字語）という）である。ＬＥＤ１１３はシート状のＦＰＣの２つの主面の一方に配置され、ＦＰＣのＬＥＤが配置されている主面、つまりは画像表示装置１０の正面側の主面には、光を反射する反射層が形成される。また、ＬＥＤシート１０９の主面にある複数のＬＥＤ１１３は、表示パネル１０２の背面の極力広い範囲を、場所によるムラを極力抑えて照射できるよう、略等間隔で行列状に配置される。
【００３０】
中継シート１１０は、ＬＥＤシート１０９に配置されている各ＬＥＤ１１３へ電力や制御信号などを送るための電気経路が形成されたＦＰＣである。また、中継シート１１０では、ＬＥＤシート１０９と同様に、画像表示装置１０の正面側の主面に反射層が形成される。
【００３１】
下フレーム１１１は薄い板金で形成される板状の部材であってベースプレートとも称され、ＬＥＤシート１０９及び中継シート１１０を支持する。下フレーム１１１は、表示パネル１０２の有効領域より小さい略平坦な面を有する平坦部１１１Ａと、平坦部１１１Ａの外縁、つまり四辺の端部から立ちあがり、画像表示装置１０の正面側（表示パネル１０２のある側）から見て表示パネル１０２の有効領域の外縁に達する側壁部１１１Ｂとを含む。バックカバー１０３を下フレーム１１１の外形に沿った形状にすることで、液晶モジュール１００は上述の、前後（ｚ軸に沿う方向）に薄い直方体から背面側の四辺が比較的大きく面取りされたような形状による、より薄く見えるという外観上の効果を奏している。
【００３２】
また、下フレーム１１１の平坦部１１１Ａには、光源である複数のＬＥＤ１１３が配置される。より具体的には、複数のＬＥＤ１１３が略等間隔で配置されたＬＥＤシート１０９及び中継シート１１０が平坦部１１１Ａに取り付けられる。その後、さらに反射シート１０８が、反射シート１０８の複数の孔から各ＬＥＤ１１３が露出するように貼り付けられる。各ＬＥＤ１１３の出射光は、直接、又はＦＰＣに形成された反射層及び反射シート１０８によって反射されて、各ＬＥＤ１１３に対して画像表示装置１０の正面側にある輝度均一板１０７に入射する。下フレーム１１１はさらに、光学シートユニット１０５からＬＥＤシート１０９及び中継シート１１０までのバックライトユニットを、モールドフレーム１０４と挟んで支持する。
【００３３】
下フレーム１１１はバックライトユニット各構成を支持するための構成をさらに有してもよい。例えば、下フレーム１１１には、画像表示装置１０を使用状態に置いたときに上側となる一辺の近辺に、光学シートユニット１０５を吊り下げる切り起こしが形成されていてもよい。この場合、光学シートユニット１０５には、例えばこの切り起こしに引っ掛けるための孔を有するタブが設けられる。
【００３４】
図３に示される複数のサポートピン１１２は、柱状の部材である。各サポートピン１１２は、下フレーム１１１に取り付けられる端部と反対側の端部である先端部１１２Ａと、柱状の形状の長手方向の途中にある鍔状のフランジ部１１２Ｂを有する。
【００３５】
複数のサポートピン１１２は、反射シート１０８越しに下フレーム１１１の平坦部１１１Ａに取り付けられ、反射シート１０８を下フレーム１１１と挟んで支持する。
【００３６】
また、複数のサポートピン１１２は、拡散板１０６及び輝度均一板１０７を支持する。図４は、液晶モジュール１００の内部で下フレーム１１１に取り付けられたサポートピン１１２が拡散板１０６及び輝度均一板１０７を支持する様子を説明するための模式図である。ただし、図４では、液晶モジュール１００の構成のうち、この説明に必要ないものは図示を省略している。
【００３７】
輝度均一板１０７には、下フレーム１１１に取り付けられた複数のサポートピン１１２のそれぞれに対応する位置に、サポートピン１１２を挿入するための孔が設けられている。輝度均一板１０７は、この孔にサポートピン１１２が先端部１１２Ａから挿入されて、図４に示されるように、サポートピン１１２のフランジ部１１２Ｂで支持されるように取り付けられる。
【００３８】
なお、サポートピン１１２はその長手方向の途中で、設計上決定される、下フレーム１１１又はＬＥＤ１１３から一定の適切な距離の位置に輝度均一板１０７を支持すればよく、この支持のための構成は、鍔状のフランジ部１１２Ｂに限定されない。例えばサポートピン１１２は、フランジ部１１２Ｂに代えて頂面のある台座のような部分を有し、この部分の頂面で輝度均一板１０７を支持してもよい。または、サポートピン１１２は、取付時に液晶モジュール１００の正面から背面に向かって太くなる部分を有し、この部分と輝度均一板１０７の孔の径が一致する場所で輝度均一板１０７を支持してもよい。
【００３９】
また、拡散板１０６は、周辺において下フレーム１１１の側壁部１１１Ｂの端部で支持されるとともに、周辺以外の部分では、図４に示されるように、下フレーム１１１の平坦部１１１Ａに立設するサポートピン１１２の先端部１１２Ａで支持される。
【００４０】
このようなサポートピン１１２は、平坦部１１１Ａにおいて、拡散板１０６及び輝度均一板１０７の全体を支えられるよう、略等間隔の行列状に配置される。また、輝度均一板１０７に向かう光を極力遮らないよう、サポートピン１１２は、各ＬＥＤ１１３から離れた位置、例えば、行列方向に隣接する２個のＬＥＤ１１３から等距離の点を結ぶ直線上に配置される。
【００４１】
このような本開示に係る画像表示装置１０において、画面全体で輝度の均一性をより高めるための液晶モジュール１００の構成を以下に説明する。
【００４２】
（実施の形態１）
図５は、実施の形態１に係る液晶モジュール１００の構成を説明するための模式断面図である。図５に示されるのは、下フレーム１１１の平坦部１１１Ａから上側の側壁部１１１Ｂに跨る部分を含む液晶モジュール１００の一部の断面である。平坦部１１１Ａから下側又は左右の側壁部１１１Ｂに跨る部分でも液晶モジュール１００の構成は共通である。
【００４３】
図６は、実施の形態１に係る液晶モジュール１００の構成の効果を説明するために用いる比較例の模式断面図である。ただし、図５及び図６では、液晶モジュール１００の構成のうち、本実施の形態の説明に必要ないものは図示を省略している。また、図４までと共通の構成も、見やすさを考慮してより簡略化した図形で示している。
【００４４】
図５及び図６中の楔形は、横方向から見た表示パネル１０２の有効領域の上側の外縁（上端）の位置を指す。上述のとおり、側壁部１１１Ｂは、平坦部１１１Ａの外縁から延在して表示パネル１０２の有効領域の外縁に達する。
【００４５】
図５に示されるように、輝度均一板１０７もまた、その外縁が上記の有効領域の外縁に達する。また、図５の断面図では全体が把握できないが、輝度均一板１０７の外縁は上記の有効領域の外縁と略一致しており、輝度均一板１０７は下フレーム１１１を端まで覆う。さらに、輝度均一板１０７は、下フレーム１１１との距離が平坦部１１１Ａとは一定であるが、平坦部１１１Ａの外縁から側壁部１１１Ｂの外縁にかけて、拡散板１０６と側壁部１１１Ｂとの間で側壁部１１１Ｂ側に湾曲してこの距離が漸減する。この構成により、ＬＥＤ１１３の出射光は、上記有効領域の全域において、直接又は下フレーム１１１の上にある反射シート１０８若しくはＬＥＤシート１０９の反射層に反射されてから輝度均一板１０７を透過して拡散板１０６に入射する。
【００４６】
ここで、図５に示される構成の効果を説明するために、図６に示される構成と比較する。図６の構成では、輝度均一板１０７は全体が平坦である。したがって、輝度均一板１０７と下フレーム１１１との距離が、平坦部１１１Ａとは一定であり、側壁部１１１Ｂとは平坦部１１１Ａの外縁から外側に向かって漸減する。ただし、輝度均一板１０７は表示パネル１０２の有効領域の外縁に達することなく、側壁部１１１Ｂと接触する。図６の破線は、横方向から見た、輝度均一板１０７と側壁部１１１Ｂとが接触する上下方向（ｙ軸上）の位置、及びこの位置に対応する拡散板１０６上の位置を示す。
【００４７】
拡散板１０６に入射する光のうち、この破線より内側（白い矢印で示される側）の領域に入射する光は、輝度均一板１０７によって配向特性がなだらかにされている。これに対し、この破線より外側（ハッチングが施された矢印で示される側）の領域に輝度均一板１０７を透過する前に到達する光はなく、拡散板１０６に入射するのは内側の領域で輝度均一板１０７を透過後にある程度の距離を進んだ光のみであり、内側の領域に入射する光に比べて入射光は弱い。この状況は、表示パネル１０２の有効領域における四方の周辺領域で発生し、画面の周辺領域では直下の輝度均一板１０７の有無に輝度差が生じる。このような明るさの差は、ユーザが視認可能なムラとなって画面に現れ得る。
【００４８】
一方、図５に示される本実施の形態における構成では、輝度均一板１０７の外形寸法が比較例よりも大きく、その外縁は表示パネル１０２の有効領域の外縁に達する。また、側壁部１１１Ｂの立ち上がりから当該有効領域の外縁の極近傍に至るまで、輝度均一板１０７と下フレーム１１１の側壁部１１１Ｂとに挟まれた空間があり、ＬＥＤ１１３からの光は、輝度均一板１０７と下フレーム１１１に沿う反射シート１０８との間を反射しながら進んで上記の有効領域の外縁の極近傍にまで到達する。また、拡散板１０６に入射する光は、表示パネル１０２の有効領域全体で直下にある輝度均一板１０７によって強さが一様に近づくよう調整されている。これにより、拡散板１０６に入射する光は図６の構成に比べて有効領域における四方の周辺領域でより強く、全体では均一性が高い。したがって、本実施の形態に係る液晶モジュール１００では、画面の中心から周辺領域にわたって輝度の均一性のより高い表示が可能である。
【００４９】
上述した本実施の形態に係る画像表示装置１０は、表示パネル１０２と、下フレーム１１１と、光源である複数のＬＥＤ１１３と、柱状の複数のサポートピン１１２と、板状の拡散板１０６と、シート状の輝度均一板１０７とを備える。下フレーム１１１は、表示パネル１０２の有効領域より小さい略平坦な面を有する平坦部１１１Ａ、及び平坦部１１１Ａの外縁から立ち上がり、正面視において上記の有効領域の外縁に達する側壁部１１１Ｂを含む。複数のＬＥＤ１１３は、平坦部１１１Ａに略等間隔で行列状に配置される。複数のサポートピン１１２は、複数のＬＥＤ１１３のそれぞれとは離れた平坦部１１１Ａ上の位置で略等間隔の行列状に配置される。拡散板１０６は、複数のサポートピン１１２の先端部１１２Ａ及び下フレーム１１１で支持され、入射するＬＥＤ１１３の出射光を拡散して表示パネル１０２に向けて出射する。輝度均一板１０７は、複数のサポートピン１１２の途中で、拡散板１０６と下フレーム１１１との間に支持され、外縁が上記の有効領域の外縁と略一致し、ＬＥＤ１１３の出射光の一部を拡散板１０６がある側に透過させる。また、輝度均一板１０７は、下フレーム１１１との距離が平坦部１１１Ａの外縁から側壁部１１１Ｂの外縁にかけて漸減するよう、拡散板１０６と側壁部１１１Ｂとの間で側壁部１１１Ｂ側に湾曲する。
【００５０】
このような画像表示装置１０では、ＬＥＤ１１３からの光は輝度均一板１０７と下フレーム１１１との間を、表示パネル１０２の有効領域の外縁の極近傍まで進むことができる。そして光は、有効領域の外縁の極近傍からも輝度均一板１０７を透過して拡散板１０６に入射し、拡散板１０６で拡散されて表示パネル１０２に向かって出射される。これにより、画像表示装置１０は、画面の中心から周辺領域にわたって輝度の均一性のより高い表示が可能である。
【００５１】
（実施の形態２）
図７は、実施の形態２に係る液晶モジュール１００の構成を説明するための模式断面図である。図７に示されるのは、図５と同様に、下フレーム１１１の平坦部１１１Ａから上側の側壁部１１１Ｂに跨る部分を含む液晶モジュール１００の一部の断面である。ただし、図７では、液晶モジュール１００の構成のうち、本実施の形態の説明に必要ないものは図示を省略している。また、図４までと共通の構成も、見やすさを考慮してより簡略化した図形で示している。図７中の楔形は、図５と同様に、横方向から見た表示パネル１０２の有効領域の上側の外縁（上端）の位置を指す。平坦部１１１Ａから下側又は左右の側壁部１１１Ｂに跨る部分でも液晶モジュール１００の構成は共通である。
【００５２】
以下、実施の形態１又は図６に示した比較例との差異を中心に説明する。
【００５３】
図７に示されるように、実施の形態２に係る液晶モジュール１００では、輝度均一板１０７と下フレーム１１１の側壁部１１１Ｂとの間に隙間がある。
【００５４】
上述のように、比較例では、ＬＥＤ１１３からの光で画像表示装置１０の画面の周辺領域に到達するのは、輝度均一板１０７を透過した光のみである。また、実施の形態１では、ＬＥＤ１１３からの光を輝度均一板１０７と反射シート１０８との間を反射しながら進ませる構成によって周辺領域にも光を到達させている。
【００５５】
これに対し、実施の形態２に係る液晶モジュール１００では、ＬＥＤ１１３からの光を周辺領域まで到達させるために、図６に示される比較例よりさらに外形寸法の小さい輝度均一板１０７を採用し、輝度均一板１０７と下フレーム１１１の側壁部１１１Ｂとの間に光を通過させるための隙間を設けている。図７における白い矢印は、ＬＥＤ１１３からの光が周辺領域に入る経路を示す。
【００５６】
これにより、液晶モジュール１００の周辺領域に、ＬＥＤ１１３から光が輝度均一板１０７を回り込んで入る。この光によって、ＬＥＤ１１３から遠い周辺領域における明るさが補償される結果、液晶モジュール１００は、画面の中心から周辺領域にわたって輝度の均一性のより高い表示が可能となる。
【００５７】
（実施の形態３）
図８は、実施の形態３に係る液晶モジュール１００の構成を説明するための模式断面図である。図８に示されるのは、図５及び図７と同様に、下フレーム１１１の平坦部１１１Ａから上側の側壁部１１１Ｂに跨る部分を含む液晶モジュール１００の一部の断面である。ただし、図８では、液晶モジュール１００の構成のうち、この説明に必要ないものは図示を省略している。また、図４までと共通の構成も、見やすさを考慮してより簡略化した図形で示している。図８中の楔形は、図５及び図７と同様に、横方向から見た表示パネル１０２の有効領域の上側の外縁（上端）の位置を指す。平坦部１１１Ａから下側又は左右の側壁部１１１Ｂに跨る部分でも液晶モジュール１００の構成は共通である。
【００５８】
以下、実施の形態１との差異を中心に説明する。
【００５９】
図８に示されるように、実施の形態３に係る液晶モジュール１００では、下フレーム１１１の側壁部１１１Ｂが、その外縁を起点として拡散板１０６に向かって立設する立ち壁１１１０を有する。また、輝度均一板１０７の外縁は、側壁部１１１Ｂの外縁に到達して立ち壁１１１０の起点と略一致する。これにより、図５に示される液晶モジュール１００と比較して、拡散板１０６と輝度均一板１０７との間に立ち壁１１１０の高さ（ｚ軸方向の寸法）に略等しい距離が確保される。
【００６０】
実施の形態１の構成では、表示パネル１０２の有効領域の外縁近傍で、輝度均一板１０７の外縁が拡散板１０６の極近くに達する。この場合、この有効領域の外縁近傍で、輝度均一板１０７の影が拡散板１０６に落ち、この影と影以外の部分との明るさの差は、ユーザが視認可能な輝度のムラとして画面に現れ得る。しかし、上記の構成によって拡散板１０６と輝度均一板１０７との間に所定の距離を確保することで、拡散板１０６に落ちる輝度均一板１０７の影の発生を防ぐか、又は少なくともこのような影を薄くすることができる。
【００６１】
立ち壁１１１０は、表示パネル１０２の有効領域の略直下に位置してもよい。また、より望ましくは、立ち壁１１１０は当該有効領域から１〜２ミリメートル程度外側に位置してもよい。これにより、表示パネル１０２全体を、輝度均一板１０７を透過した光の照射範囲に、より確実に包含させることができる。
【００６２】
実施の形態３に係る液晶モジュール１００においても、ＬＥＤ１１３からの光は、輝度均一板１０７に沿う反射シート１０８との間を反射しながら進んで上記の有効領域の外縁の極近傍にまで到達する。その一方で、拡散板１０６と輝度均一板１０７との間には所定の距離が確保されるため、拡散板１０６に落ちる輝度均一板１０７の影の発生が防止されたり、又は影が薄められたりして、ユーザが視認可能な輝度のムラの発生を抑えることができる。これにより、本実施の形態に係る液晶モジュール１００は、画面の中心から周辺領域にわたって輝度の均一性のより高い表示が可能となる。
【００６３】
なお、立ち壁１１１０の寸法に関する一実施例を挙げると、例えば下フレーム１１１と拡散板１０６との距離が２０ミリメートル、下フレーム１１１と輝度均一板１０７との距離が１０ミリメートルの場合、高さ３ミリメートル程度の立ち壁１１１０が設けられてもよい。ただし、これらの寸法は、液晶モジュール１００全体の大きさ又は求められる外観、配置されるＬＥＤ１１３の密度又は発光強度等に応じて調整のために設計上変更されるものであり、本実施の形態に係る液晶モジュール１００の構成を限定するものではない。
【００６４】
また、立ち壁１１１０がより高ければ、拡散板１０６上への輝度均一板１０７の影の発生を抑える効果はより高まるが、画像表示装置１０を薄く見せにくくなる。立ち壁１１１０の高さは、この点を考慮して決定されるのが望ましい。
【００６５】
上述した本実施の形態に係る画像表示装置１０では、側壁部１１１Ｂは、外縁を起点として拡散板１０６に向かって立設する立ち壁１１１０を有し、輝度均一板１０７の外縁は、拡散板１０６の起点と略一致する。
【００６６】
このような画像表示装置１０では、拡散板１０６と、輝度均一板１０７において拡散板１０６に最も近い外縁との間に、立ち壁１１１０の高さに応じた間隔が確保される。これにより、拡散板１０６に落ちる輝度均一板１０７の影の発生が防止されたり、又は影が薄められたりする。画像表示装置１０は、画面の中心から周辺領域にわたって輝度の均一性のより高い表示が可能である。
【００６７】
（実施の形態３の変形例）
実施の形態１又は３における輝度均一板１０７の曲面的な形状は、成形された輝度均一板１０７そのものの形状であってもよい。しかしながら、上述のとおり樹脂製のシート状である輝度均一板１０７が備える可撓性を利用して、本来は平坦な形状で、表示パネル１０２の有効領域よりも大きい外形寸法を持つ輝度均一板１０７の外縁を下フレーム１１１に当接させて撓ませることでそのような形状を持たせてもよい。この場合、輝度均一板１０７はそれ自体が備える弾性によって下フレーム１１１に突っ張り、下フレーム１１１に支持される。このとき、輝度均一板１０７に生じる応力の影響で、サポートピン１１２によって固定されている箇所の周辺で輝度均一板１０７に上下方向（ｚ軸方向）の撓みが生じ得る。図９は、実施の形態３に係る液晶モジュール１００において生じるこのような撓みを説明するための模式断面図である。図９に示されるのは、図５等と同様に、下フレーム１１１の平坦部１１１Ａから上側の側壁部１１１Ｂに跨る部分を含む液晶モジュール１００の一部の断面である。
【００６８】
図９では、横方向の両矢印Ｄ１で示す範囲で輝度均一板１０７に上下方向の撓みが見られる。縦方向の両矢印Ｄ２は、この撓みの上下方向の大きさを示す。
【００６９】
輝度均一板１０７において図９に示されるような撓みがある範囲では、各ＬＥＤ１１３と輝度均一板１０７のとの距離に不測のばらつきがあり、ＬＥＤ１１３からの距離に応じて決定された径の孔では、光の配向特性を思うように調整することが困難である。つまり、画像表示装置１０の画面上では、ユーザに視認され得る輝度のムラが現れるという問題がある。以下では、図１０及び図１１を用いてこのような問題を解決するための構成を説明する。
【００７０】
図１０は、本変形例に係る液晶モジュール１００の構成を説明するための模式断面図である。また、図１１は、本変形例に係る液晶モジュール１００の構成を説明するための模式的な正面図である。図１０に示されるのは、図９等と同様に、下フレーム１１１の平坦部１１１Ａから上側の側壁部１１１Ｂに跨る部分を含む液晶モジュール１００の一部の断面である。図１１に示されるのは、正面（表示パネル１０２のある側）から見た下フレーム１１１の右上角を含む一部である。ただし、図１０及び図１１では、液晶モジュール１００の構成のうち、本変形例の説明に必要ないものは図示を省略している。また、図４までと共通の構成も、見やすさを考慮してより簡略化した図形で示している。図１１中の破線は谷折状の箇所を示し、一点鎖線は、行列方向に隣接する２個のＬＥＤ１１３から等距離の点を結ぶ仮想の直線である。
【００７１】
本変形例に係る液晶モジュール１００では、サポートピン１１２が配置される仮想の直線（図１１の一点鎖線）上に、さらに柱状の補助サポートピン１１４を備える。補助サポートピン１１４もまた、輝度均一板１０７を拡散板１０６と下フレーム１１１との間で支持する。補助サポートピン１１４が輝度均一板１０７を支持するｚ軸方向の位置、言い換えると、下フレーム１１１からの高さは、サポートピン１１２が支持する高さと同じである。
【００７２】
補助サポートピン１１４は、同一直線上で隣り合う２本を一組とすると、一組の補助サポートピン１１４は、複数のサポートピン１１２及び複数のＬＥＤ１１３よりも平坦部１１１Ａの外縁に近い位置にある。また、一組の補助サポートピン１１４間の間隔は、複数のサポートピン１１２間の間隔よりも狭い。
【００７３】
補助サポートピン１１４同士のより狭い間隔では、上記の応力の影響による輝度均一板１０７の上下方向の撓みがより小さく収束する（図１０の両矢印Ｄ４）。
【００７４】
また、補助サポートピン１１４を平坦部１１１Ａにおいて複数のＬＥＤ１１３よりも平坦部１１１Ａの外縁に近い位置に配置するのは、輝度均一板１０７における撓みのない連続的に平坦な範囲を、行列状に並ぶ複数のＬＥＤ１１３が直下にある、より内側の領域で広く確保するためである。本変形例では、図１０に示されるように、この領域の外側にあるより狭い範囲（図１０の両矢印Ｄ３）で輝度均一板１０７の撓みが抑えられている。
【００７５】
なお、補助サポートピン１１４を上記の直線上に配置するのは、いずれのＬＥＤ１１３からも極力距離をおくことで、補助サポートピン１１４がＬＥＤ１１３からの光を遮ってできる、側壁部１１１Ｂに向かって伸びる影の影響を最小限に抑えるためである。
【００７６】
これにより、本変形例に係る液晶モジュール１００は、画面の中心から周辺領域にわたって輝度の均一性のより高い表示が可能となる。
【００７７】
なお、上記では補助サポートピン１１４は２本で一組としたが、撓みを抑えるための必要性に応じて３本以上で一組をなしてもよい。ただし上記のように、補助サポートピン１１４がＬＥＤ１１３からの光を遮って生じさせる影は輝度の均一性に影響を与えるため、できるだけ少量が望ましい。
【００７８】
また、平坦部１１１Ａに略等間隔で行列状に配置された複数のサポートピン１１２のうち、各行及び列の一端に位置するサポートピン１１２と、このサポートピン１１２からより短い間隔で設ける１本以上の補助サポートピンとを一組の補助サポートピン１１４と解釈してもよい。
【００７９】
また、３本以上の補助サポートピン１１４を一組とする場合、補助サポートピン間の間隔は均等でなくてもよい。
【００８０】
また、補助サポートピン１１４は、輝度均一板１０７の撓みを抑えるために、輝度均一板１０７を下フレーム１１１から所定の高さで支持し、この高さはサポートピン１１２が輝度均一板１０７を支持する高さと共通である。しかし、拡散板１０６については、サポートピン１１２のようにすべての補助サポートピン１１４で支える必要はない。例えば一組の補助サポートピン１１４のうち、１本を除く他の補助サポートピン１１４は、輝度均一板１０７を支持する高さと構造、例えば輝度均一板１０７を所定の高さで挟む２枚のフランジを備え、サポートピン１１２よりも短くてもよい。これにより、輝度均一板１０７を透過した光が補助サポートピン１１４によって遮られる量を、図８のような補助サポートピン１１４のない構成と同程度に抑えることができる。また、これに関連し、補助サポートピン１１４の形状はサポートピン１１２と共通でなくてもよく、例えばサポートピン１１２より細くてもよい。これにより、側壁部１１１Ｂに落ちる影の影響をより抑えることができる。
【００８１】
また、実施の形態３の変形例として説明した上記の構成は、実施の形態１の変形例としても適用可能である。立ち壁１１１０のない実施の形態１に係る液晶モジュール１００の構成では、周辺領域での輝度均一板１０７の湾曲量（ｚ軸方向の高さの差）がより大きいため、より内側の領域での撓み量が大きくなり得る。したがって、補助サポートピン１１４が設けられて撓みが抑制されることで、液晶モジュール１００は、画面の中心から周辺領域にわたって輝度の均一性のより高い表示が可能となる。
【００８２】
上述した本変形例に係る画像表示装置１０では、複数のサポートピン１１２は、光源である複数のＬＥＤ１１３のうち、行列方向に隣接する２個のＬＥＤ１１３から等距離の点を結ぶ直線上に位置する。また、画像表示装置１０は、さらに、上記の直線上であって、複数のサポートピン１１２及び複数のＬＥＤ１１３よりも平坦部１１１Ａの外縁に近い位置において、輝度均一板１０７を下フレーム１１１と拡散板１０６との間で支持する、少なくとも２本で一組の、柱状の補助サポートピン１１４を備える。この一組の補助サポートピン１１４間の間隔は、複数のサポートピン１１２間の間隔よりも狭い。
【００８３】
このような画像表示装置１０では、輝度均一板１０７に応力の影響で生じ得る撓みの湾曲量が補助サポートピン１１４で抑えられる。これにより、ＬＥＤ１１３と輝度均一板１０７との距離のばらつきが抑えられるため、輝度均一板１０７による光の配向特性の調整の効果は、設計の意図により近いものが得られる。また、補助サポートピン１１４は輝度均一板１０７の外縁寄りに位置するため、輝度均一板１０７においてより広く連続する平坦な領域が得られる。これにより、画像表示装置１０は、画面の中心から周辺にわたって連続する領域で輝度の均一性のより高い表示が可能である。
【００８４】
（他の実施の形態）
以上のように、本出願において開示する技術の例示として、実施の形態を説明した。しかしながら、本開示における技術は、これらに限定されず、適宜、変更、置き換え、付加、省略などを行った実施の形態にも適用可能である。
【００８５】
例えば、上記では複数のＬＥＤ１１３を光源として説明したが、上記の各実施の形態及び変形例は、ＬＥＤ以外の光源が用いられている直下型バックライト方式の画像表示装置にも適用可能である。各実施の形態又は変形例が適用される画像表示装置のＬＥＤ以外の光源としては、例えば冷陰極管及び蛍光管が挙げられる。
【００８６】
また、光源からの光を反射して有効領域の外縁まで導くための構成のひとつとして、サポートピン１１２と下フレーム１１１とで挟んで支持される反射シート１０８を挙げたが、画像表示装置１０の構成はこれに限定されない。例えば下フレーム１１１の正面側の面全体が光反射率の高い素材でコーティングされてもよいし、下フレーム１１１自体が光反射率の高い素材で作られてもよい。この意味で、反射材としての反射シート１０８と下フレーム１１１とは同一視してもよく、例えば上記の説明における輝度均一板１０７と下フレーム１１１との距離は、輝度均一板１０７と反射シート１０８との距離と同義に解釈することができる。
【００８７】
また、画像表示装置１０は例えば液晶テレビであると説明したが、他の例として、パーソナルコンピュータ用のモニタディスプレイ、デジタルサイネージ用のディスプレイが挙げあられる。
【００８８】
また、上述の各実施の形態及びその変形例で説明した各構成要素を組み合わせて、新たな実施の形態とすることも可能である。
【００８９】
また、上述の実施の形態及びその変形例は、本開示における技術を例示するためのものであるから、請求の範囲又はその均等の範囲において種々の変更、置き換え、付加、省略などを行うことができる。
【産業上の利用可能性】
【００９０】
本開示は、例えば周辺部分の厚さを他の部分より抑えたことでより薄く見える外観を備える画像表示装置に適用可能である。より具体的には、テレビジョン受像機、モニタディスプレイ、又はデジタルサイネージ用ディスプレイ等に本開示は適用可能である。
【符号の説明】
【００９１】
１０  画像表示装置
１００  液晶モジュール
１０１  ベゼル
１０２  表示パネル
１０３  バックカバー
１０４  モールドフレーム
１０５  光学シートユニット
１０６  拡散板
１０７  輝度均一板
１０８  反射シート
１０９  ＬＥＤシート
１１０  中継シート
１１１  下フレーム
１１１Ａ  平坦部
１１１Ｂ  側壁部
１１２  サポートピン
１１２Ａ  先端部
１１２Ｂ  フランジ部
１１３  ＬＥＤ（光源）
１１４  補助サポートピン
２００  スタンド
１１１０  立ち壁
【図１】
2018147268.tif 000003
【図２】
2018147268.tif 000004
【図３】
2018147268.tif 000005
【図４】
2018147268.tif 000006
【図５】
2018147268.tif 000007
【図６】
2018147268.tif 000008
【図７】
2018147268.tif 000009
【図８】
2018147268.tif 000010
【図９】
2018147268.tif 000011
【図１０】
2018147268.tif 000012
【図１１】
2018147268.tif 000013
【手続補正書】
【提出日】平成30年7月5日(2018.7.5)
【手続補正１】
【補正対象書類名】明細書
【補正対象項目名】全文
【補正方法】変更
【補正の内容】
【発明の詳細な説明】
【技術分野】
【０００１】
本開示は、液晶セル等の表示パネルを備える画像表示装置に関する。
【背景技術】
【０００２】
特許文献１は、輝度ムラが少ない均一な面照明光を得るための光透過反射板を含む面光源ユニットを直下型のバックライトとして用いる表示装置を開示する。
【先行技術文献】
【特許文献】
【０００３】
【特許文献１】特開２０１１−１５１００２号公報
【発明の概要】
【発明が解決しようとする課題】
【０００４】
本開示は、薄く見える外観を備え、かつ画面全体で輝度の均一性のより高い表示が可能な画像表示装置を提供する。
【課題を解決するための手段】
【０００５】
本開示における画像表示装置は、表示パネルと、表示パネルの有効領域より小さい略平坦な面を有する平坦部、及び当該平坦部の外縁から立ち上がり、正面視において上記の有効領域の外縁に達する側壁部を含む下フレームと、平坦部に略等間隔で行列状に配置される複数の光源と、複数の光源のそれぞれとは離れた平坦部上の位置で、略等間隔の行列状に配置される、柱状の複数のサポートピンと、複数のサポートピンの先端部及び下フレームで支持され、入射する複数の光源の出射光を拡散して表示パネルに向けて出射する板状の拡散板と、複数のサポートピンの途中で、拡散板と下フレームとの間に支持され、外縁が上記の有効領域の外縁と略一致し、複数の光源の出射光の一部を拡散板がある側に透過させるシート状の輝度均一板とを備え、輝度均一板は、下フレームとの距離が平坦部の外縁から側壁部の外縁にかけて漸減するよう、拡散板と側壁部との間で側壁部側に湾曲する。
【発明の効果】
【０００６】
本開示における画像表示装置によれば、薄く見える外観を備え、かつ画面全体で輝度の均一性のより高い表示が可能である。
【図面の簡単な説明】
【０００７】
【図１】図１は、各実施の形態に係る液晶テレビの外観斜視図である。
【図２】図２は、各実施の形態に係る液晶モジュールの分解斜視図である。
【図３】図３は、各実施の形態に係る液晶モジュールの分解斜視図である。
【図４】図４は、上記の液晶モジュールにおけるサポートピンの取付状況を説明するための模式断面図である。
【図５】図５は、実施の形態１に係る液晶モジュールの構成を説明するための模式断面図である。
【図６】図６は、実施の形態１に係る液晶モジュールの効果を説明するための比較例の模式断面図である。
【図７】図７は、実施の形態２に係る液晶モジュールの構成を説明するための模式断面図である。
【図８】図８は、実施の形態３に係る液晶モジュールの構成を説明するための模式断面図である。
【図９】図９は、実施の形態３に係る液晶モジュールにおいて、サポートピンの周辺で輝度均一板に生じ得る撓みを説明するための模式断面図である。
【図１０】図１０は、実施の形態３の変形例に係る液晶モジュールの構成を説明するための模式断面図である。
【図１１】図１１は、実施の形態３の変形例に係る液晶モジュールの構成を説明するための正面図である。
【発明を実施するための形態】
【０００８】
本願発明者は、従来の画像表示装置に関し、以下の問題が生じることを見出した。
【０００９】
従来の液晶テレビ等の画像表示装置では、表示パネルを取り囲むように含む表示モジュールは、大まかには前後に薄い直方体であるが、より厳密には、その背面側の四辺が比較的大きく面取りされたような形状を有する。このような端面での厚さの小さい形状とすることで、表示モジュールそのものを薄く見せるという外観上の効果を得ている。
【００１０】
このような形状の表示モジュールの内部では、周辺部分の厚さがその他の部分に比べて小さい。
【００１１】
ところがこのような画像表示装置では、周辺部分においては内部空間の厚さ方向の制約上、その他の部分と共通の表示機構が採用できない。そのため、画面全体で均一な画質を得るのが困難であるという問題がある。より具体的には、直下型バックライト方式を用いる画像表示装置では、画面の中心から周辺にわたって均一な輝度を得るのが困難な場合がある。
【００１２】
本開示はこのような知見に基づいてなされたものであり、本願発明者は、上記のような外観に関する要求に応えつつ、かつ、画面全体で輝度の均一性のより高い表示が可能な画像表示装置の構造の着想を得た。
【００１３】
以下、適宜図面を参照しながら実施の形態を説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、本願発明者は、当業者が本開示を十分に理解するために添付図面および以下の説明を提供するのであって、これらによって請求の範囲に記載の主題を限定することを意図するものではない。
【００１５】
以下、液晶テレビを構成する画像表示装置を例に用いて、図を参照して複数の実施の形態について説明するが、それに先立って、各実施の形態及びその変形例に共通して関連する画像表示装置の構造の概要について説明する。実施の形態間での差異は後述する。
【００１６】
また、以下の実施の形態において、説明の便宜上、画像表示装置の上下方向をｙ軸の方向と一致させ、前後方向をｚ軸の方向と一致させ、左右方向をｘ軸の方向と一致させているが、方向のこれらの対応付けは、本開示に係る画像表示装置の製造時又は使用時における姿勢を限定するものではない。
【００１７】
（画像表示装置の構成概要）
図１は、各実施の形態に係る画像表示装置１０の外観斜視図である。図２及び図３はそれぞれ、各実施の形態に係る液晶モジュール１００の分解斜視図である。
【００１８】
画像表示装置１０は例えば液晶テレビであり、図１に示されるように、液晶モジュール１００と、ベゼル１０１と、バックカバー１０３と、スタンド２００とを備える。
【００１９】
液晶モジュール１００は静止画及び動画を表示可能な映像表示のためのモジュールであり、表示パネル１０２を備える。
【００２０】
表示パネル１０２は、以下に説明する各実施の形態では、いわゆる液晶セルであり、複数のガラス板の間に液晶が封入された素子である。表示パネル１０２は、画像表示装置１０に入力された映像信号に基づいて制御され、映像を表示する。
【００２１】
また、液晶モジュール１００はスタンド２００を用いて、床又は台の上に立てることができる。ただし、液晶モジュール１００は、スタンド２００を用いずに、他の取付具を用いて壁に掛けられるか又は埋め込まれたり、天井から吊り下げられたりしての画像表示装置１０としての使用が可能であってもよい。
【００２２】
樹脂で形成されるベゼル１０１は、画像表示装置１０の四辺それぞれに対応するよう分割して形成され、例えばネジを用いて相互に結合される。ベゼル１０１は、後述の表示パネル１０２から下フレーム１１１までの複数の部品を、バックカバー１０３と共に挟持する。
【００２３】
上記構成を有する液晶モジュール１００はさらに、図２又は図３に示されるように、モールドフレーム１０４と、光学シートユニット１０５と、拡散板１０６と、輝度均一板１０７と、反射シート１０８と、ＬＥＤシート１０９と、中継シート１１０と、下フレーム１１１と、サポートピン１１２とを備える。
【００２４】
モールドフレーム１０４は、光学シートユニット１０５からＬＥＤシート１０９及び中継シート１１０までの複数の部品（いわゆるバックライトユニット）を、下フレーム１１１と挟んで支持する。なお、図３ではモールドフレーム１０４の図示を省略している。
【００２５】
光学シートユニット１０５は、光学特性の異なる２、３種類のシートを複数枚重ねて構成される。例えば、光学シートユニット１０５には、縦方向のプリズムシート、横方向のプリズムシート及び拡散シートが含まれる。
【００２６】
拡散板１０６は、ＬＥＤシート１０９上に配置された、画像表示装置１０の光源である複数のＬＥＤ（Ｌｉｇｈｔ−Ｅｍｉｔｔｉｎｇ  Ｄｉｏｄｅ）１１３から入射する光を拡散して、表示パネル１０２に向けて出射する。
【００２７】
輝度均一板１０７は、ＬＥＤシート１０９上に配置された複数のＬＥＤ１１３からの光（以下、出射光ともいう）を、場所によって異なる輝度の均一度を高めて拡散板１０６がある側に透過させる。輝度均一板１０７は、例えば微細な気泡を密に含むＰＥＴ（ｐｏｌｙｅｔｈｙｌｅｎｅ  ｔｅｒｅｐｈｔｈａｌａｔｅ）等の樹脂製で、良好な光反射性を有するシート状の部材である。また、輝度均一板１０７には、径の異なる孔、つまり開口が全体にわたって多数形成されている。より具体的には、各ＬＥＤ１１３の直上にある孔の径は極めて小さく、最寄りのＬＥＤ１１３から遠い孔ほど径が大きい。ＬＥＤ１１３の出射光は、その一部がこれらの孔を通って反対側、つまり拡散板１０６のある側に抜ける（本開示では「光が輝度均一板１０７を透過する」とも表現している）。輝度均一板１０７は、所定の距離にある光源からの光の単位面積当たりの透過量を均一に近づけるようにこれらの孔の個数、大きさ及び分布が調整されており、この構成によって、各ＬＥＤ１１３が出射した光の配向特性をなだらかにする。輝度均一板１０７によって配向特性がなだらかにされたＬＥＤ１１３からの光は、拡散板１０６によって輝度ムラがさらに抑えられるよう拡散されてから表示パネル１０２に向けて出射される。
【００２８】
反射シート１０８は、ＬＥＤシート１０９上に配置された複数のＬＥＤ１１３のそれぞれに対応する位置及び大きさの孔が設けられたシートであり、画像表示装置１０の正面側の面全体で光を反射する。反射シート１０８は、表示パネル１０２の有効領域より小さい略平坦な面を有する平坦部と、平坦部の四辺の端部から立ちあがり、画像表示装置１０の正面側から見て表示パネル１０２の有効領域の外縁に達する側壁部とを含み、全体として後述の下フレーム１１１に概ね沿う形状を有する。
【００２９】
ＬＥＤシート１０９は、複数のＬＥＤ１１３が配置されたフレキシブルプリント基板（以下、ＦＰＣ（Ｆｌｅｘｉｂｌｅ  Ｐｒｉｎｔｅｄ  Ｃｉｒｃｕｉｔｓの頭字語）という）である。ＬＥＤ１１３はシート状のＦＰＣの２つの主面の一方に配置され、ＦＰＣのＬＥＤが配置されている主面、つまりは画像表示装置１０の正面側の主面には、光を反射する反射層が形成される。また、ＬＥＤシート１０９の主面にある複数のＬＥＤ１１３は、表示パネル１０２の背面の極力広い範囲を、場所によるムラを極力抑えて照射できるよう、略等間隔で行列状に配置される。
【００３０】
中継シート１１０は、ＬＥＤシート１０９に配置されている各ＬＥＤ１１３へ電力や制御信号などを送るための電気経路が形成されたＦＰＣである。また、中継シート１１０では、ＬＥＤシート１０９と同様に、画像表示装置１０の正面側の主面に反射層が形成される。
【００３１】
下フレーム１１１は薄い板金で形成される板状の部材であってベースプレートとも称され、ＬＥＤシート１０９及び中継シート１１０を支持する。下フレーム１１１は、表示パネル１０２の有効領域より小さい略平坦な面を有する平坦部１１１Ａと、平坦部１１１Ａの外縁、つまり四辺の端部から立ちあがり、画像表示装置１０の正面側（表示パネル１０２のある側）から見て表示パネル１０２の有効領域の外縁に達する側壁部１１１Ｂとを含む。バックカバー１０３を下フレーム１１１の外形に沿った形状にすることで、液晶モジュール１００は上述の、前後（ｚ軸に沿う方向）に薄い直方体から背面側の四辺が比較的大きく面取りされたような形状による、より薄く見えるという外観上の効果を奏している。
【００３２】
また、下フレーム１１１の平坦部１１１Ａには、光源である複数のＬＥＤ１１３が配置される。より具体的には、複数のＬＥＤ１１３が略等間隔で配置されたＬＥＤシート１０９及び中継シート１１０が平坦部１１１Ａに取り付けられる。その後、さらに反射シート１０８が、反射シート１０８の複数の孔から各ＬＥＤ１１３が露出するように貼り付けられる。各ＬＥＤ１１３の出射光は、直接、又はＦＰＣに形成された反射層及び反射シート１０８によって反射されて、各ＬＥＤ１１３に対して画像表示装置１０の正面側にある輝度均一板１０７に入射する。下フレーム１１１はさらに、光学シートユニット１０５からＬＥＤシート１０９及び中継シート１１０までのバックライトユニットを、モールドフレーム１０４と挟んで支持する。
【００３３】
下フレーム１１１はバックライトユニット各構成を支持するための構成をさらに有してもよい。例えば、下フレーム１１１には、画像表示装置１０を使用状態に置いたときに上側となる一辺の近辺に、光学シートユニット１０５を吊り下げる切り起こしが形成されていてもよい。この場合、光学シートユニット１０５には、例えばこの切り起こしに引っ掛けるための孔を有するタブが設けられる。
【００３４】
図３に示される複数のサポートピン１１２は、柱状の部材である。各サポートピン１１２は、下フレーム１１１に取り付けられる端部と反対側の端部である先端部１１２Ａと、柱状の形状の長手方向の途中にある鍔状のフランジ部１１２Ｂを有する。
【００３５】
複数のサポートピン１１２は、反射シート１０８越しに下フレーム１１１の平坦部１１１Ａに取り付けられ、反射シート１０８を下フレーム１１１と挟んで支持する。
【００３６】
また、複数のサポートピン１１２は、拡散板１０６及び輝度均一板１０７を支持する。図４は、液晶モジュール１００の内部で下フレーム１１１に取り付けられたサポートピン１１２が拡散板１０６及び輝度均一板１０７を支持する様子を説明するための模式図である。ただし、図４では、液晶モジュール１００の構成のうち、この説明に必要ないものは図示を省略している。
【００３７】
輝度均一板１０７には、下フレーム１１１に取り付けられた複数のサポートピン１１２のそれぞれに対応する位置に、サポートピン１１２を挿入するための孔が設けられている。輝度均一板１０７は、この孔にサポートピン１１２が先端部１１２Ａから挿入されて、図４に示されるように、サポートピン１１２のフランジ部１１２Ｂで支持されるように取り付けられる。
【００３８】
なお、サポートピン１１２はその長手方向の途中で、設計上決定される、下フレーム１１１又はＬＥＤ１１３から一定の適切な距離の位置に輝度均一板１０７を支持すればよく、この支持のための構成は、鍔状のフランジ部１１２Ｂに限定されない。例えばサポートピン１１２は、フランジ部１１２Ｂに代えて頂面のある台座のような部分を有し、この部分の頂面で輝度均一板１０７を支持してもよい。または、サポートピン１１２は、取付時に液晶モジュール１００の正面から背面に向かって太くなる部分を有し、この部分と輝度均一板１０７の孔の径が一致する場所で輝度均一板１０７を支持してもよい。
【００３９】
また、拡散板１０６は、周辺において下フレーム１１１の側壁部１１１Ｂの端部で支持されるとともに、周辺以外の部分では、図４に示されるように、下フレーム１１１の平坦部１１１Ａに立設するサポートピン１１２の先端部１１２Ａで支持される。
【００４０】
このようなサポートピン１１２は、平坦部１１１Ａにおいて、拡散板１０６及び輝度均一板１０７の全体を支えられるよう、略等間隔の行列状に配置される。また、輝度均一板１０７に向かう光を極力遮らないよう、サポートピン１１２は、各ＬＥＤ１１３から離れた位置、例えば、行列方向に隣接する２個のＬＥＤ１１３から等距離の点を結ぶ直線上に配置される。
【００４１】
このような本開示に係る画像表示装置１０において、画面全体で輝度の均一性をより高めるための液晶モジュール１００の構成を以下に説明する。
【００４２】
（実施の形態１）
図５は、実施の形態１に係る液晶モジュール１００の構成を説明するための模式断面図である。図５に示されるのは、下フレーム１１１の平坦部１１１Ａから上側の側壁部１１１Ｂに跨る部分を含む液晶モジュール１００の一部の断面である。平坦部１１１Ａから下側又は左右の側壁部１１１Ｂに跨る部分でも液晶モジュール１００の構成は共通である。
【００４３】
図６は、実施の形態１に係る液晶モジュール１００の構成の効果を説明するために用いる比較例の模式断面図である。ただし、図５及び図６では、液晶モジュール１００の構成のうち、本実施の形態の説明に必要ないものは図示を省略している。また、図４までと共通の構成も、見やすさを考慮してより簡略化した図形で示している。
【００４４】
図５及び図６中の楔形は、横方向から見た表示パネル１０２の有効領域の上側の外縁（上端）の位置を指す。上述のとおり、側壁部１１１Ｂは、平坦部１１１Ａの外縁から延在して表示パネル１０２の有効領域の外縁に達する。
【００４５】
図５に示されるように、輝度均一板１０７もまた、その外縁が上記の有効領域の外縁に達する。また、図５の断面図では全体が把握できないが、輝度均一板１０７の外縁は上記の有効領域の外縁と略一致しており、輝度均一板１０７は下フレーム１１１を端まで覆う。さらに、輝度均一板１０７は、下フレーム１１１との距離が平坦部１１１Ａとは一定であるが、平坦部１１１Ａの外縁から側壁部１１１Ｂの外縁にかけて、拡散板１０６と側壁部１１１Ｂとの間で側壁部１１１Ｂ側に湾曲してこの距離が漸減する。この構成により、ＬＥＤ１１３の出射光は、上記有効領域の全域において、直接又は下フレーム１１１の上にある反射シート１０８若しくはＬＥＤシート１０９の反射層に反射されてから輝度均一板１０７を透過して拡散板１０６に入射する。
【００４６】
ここで、図５に示される構成の効果を説明するために、図６に示される構成と比較する。図６の構成では、輝度均一板１０７は全体が平坦である。したがって、輝度均一板１０７と下フレーム１１１との距離が、平坦部１１１Ａとは一定であり、側壁部１１１Ｂとは平坦部１１１Ａの外縁から外側に向かって漸減する。ただし、輝度均一板１０７は表示パネル１０２の有効領域の外縁に達することなく、側壁部１１１Ｂと接触する。図６の破線は、横方向から見た、輝度均一板１０７と側壁部１１１Ｂとが接触する上下方向（ｙ軸上）の位置、及びこの位置に対応する拡散板１０６上の位置を示す。
【００４７】
拡散板１０６に入射する光のうち、この破線より内側（白い矢印で示される側）の領域に入射する光は、輝度均一板１０７によって配向特性がなだらかにされている。これに対し、この破線より外側（ハッチングが施された矢印で示される側）の領域に輝度均一板１０７を透過する前に到達する光はなく、拡散板１０６に入射するのは内側の領域で輝度均一板１０７を透過後にある程度の距離を進んだ光のみであり、内側の領域に入射する光に比べて入射光は弱い。この状況は、表示パネル１０２の有効領域における四方の周辺領域で発生し、画面の周辺領域では直下の輝度均一板１０７の有無に輝度差が生じる。このような明るさの差は、ユーザが視認可能なムラとなって画面に現れ得る。
【００４８】
一方、図５に示される本実施の形態における構成では、輝度均一板１０７の外形寸法が比較例よりも大きく、その外縁は表示パネル１０２の有効領域の外縁に達する。また、側壁部１１１Ｂの立ち上がりから当該有効領域の外縁の極近傍に至るまで、輝度均一板１０７と下フレーム１１１の側壁部１１１Ｂとに挟まれた空間があり、ＬＥＤ１１３からの光は、輝度均一板１０７と下フレーム１１１に沿う反射シート１０８との間を反射しながら進んで上記の有効領域の外縁の極近傍にまで到達する。また、拡散板１０６に入射する光は、表示パネル１０２の有効領域全体で直下にある輝度均一板１０７によって強さが一様に近づくよう調整されている。これにより、拡散板１０６に入射する光は図６の構成に比べて有効領域における四方の周辺領域でより強く、全体では均一性が高い。したがって、本実施の形態に係る液晶モジュール１００では、画面の中心から周辺領域にわたって輝度の均一性のより高い表示が可能である。
【００４９】
上述した本実施の形態に係る画像表示装置１０は、表示パネル１０２と、下フレーム１１１と、光源である複数のＬＥＤ１１３と、柱状の複数のサポートピン１１２と、板状の拡散板１０６と、シート状の輝度均一板１０７とを備える。下フレーム１１１は、表示パネル１０２の有効領域より小さい略平坦な面を有する平坦部１１１Ａ、及び平坦部１１１Ａの外縁から立ち上がり、正面視において上記の有効領域の外縁に達する側壁部１１１Ｂを含む。複数のＬＥＤ１１３は、平坦部１１１Ａに略等間隔で行列状に配置される。複数のサポートピン１１２は、複数のＬＥＤ１１３のそれぞれとは離れた平坦部１１１Ａ上の位置で略等間隔の行列状に配置される。拡散板１０６は、複数のサポートピン１１２の先端部１１２Ａ及び下フレーム１１１で支持され、入射するＬＥＤ１１３の出射光を拡散して表示パネル１０２に向けて出射する。輝度均一板１０７は、複数のサポートピン１１２の途中で、拡散板１０６と下フレーム１１１との間に支持され、外縁が上記の有効領域の外縁と略一致し、ＬＥＤ１１３の出射光の一部を拡散板１０６がある側に透過させる。また、輝度均一板１０７は、下フレーム１１１との距離が平坦部１１１Ａの外縁から側壁部１１１Ｂの外縁にかけて漸減するよう、拡散板１０６と側壁部１１１Ｂとの間で側壁部１１１Ｂ側に湾曲する。
【００５０】
このような画像表示装置１０では、ＬＥＤ１１３からの光は輝度均一板１０７と下フレーム１１１との間を、表示パネル１０２の有効領域の外縁の極近傍まで進むことができる。そして光は、有効領域の外縁の極近傍からも輝度均一板１０７を透過して拡散板１０６に入射し、拡散板１０６で拡散されて表示パネル１０２に向かって出射される。これにより、画像表示装置１０は、画面の中心から周辺領域にわたって輝度の均一性のより高い表示が可能である。
【００５１】
（実施の形態２）
図７は、実施の形態２に係る液晶モジュール１００の構成を説明するための模式断面図である。図７に示されるのは、図５と同様に、下フレーム１１１の平坦部１１１Ａから上側の側壁部１１１Ｂに跨る部分を含む液晶モジュール１００の一部の断面である。ただし、図７では、液晶モジュール１００の構成のうち、本実施の形態の説明に必要ないものは図示を省略している。また、図４までと共通の構成も、見やすさを考慮してより簡略化した図形で示している。図７中の楔形は、図５と同様に、横方向から見た表示パネル１０２の有効領域の上側の外縁（上端）の位置を指す。平坦部１１１Ａから下側又は左右の側壁部１１１Ｂに跨る部分でも液晶モジュール１００の構成は共通である。
【００５２】
以下、実施の形態１又は図６に示した比較例との差異を中心に説明する。
【００５３】
図７に示されるように、実施の形態２に係る液晶モジュール１００では、輝度均一板１０７と下フレーム１１１の側壁部１１１Ｂとの間に隙間がある。
【００５４】
上述のように、比較例では、ＬＥＤ１１３からの光で画像表示装置１０の画面の周辺領域に到達するのは、輝度均一板１０７を透過した光のみである。また、実施の形態１では、ＬＥＤ１１３からの光を輝度均一板１０７と反射シート１０８との間を反射しながら進ませる構成によって周辺領域にも光を到達させている。
【００５５】
これに対し、実施の形態２に係る液晶モジュール１００では、ＬＥＤ１１３からの光を周辺領域まで到達させるために、図６に示される比較例よりさらに外形寸法の小さい輝度均一板１０７を採用し、輝度均一板１０７と下フレーム１１１の側壁部１１１Ｂとの間に光を通過させるための隙間を設けている。図７における白い矢印は、ＬＥＤ１１３からの光が周辺領域に入る経路を示す。
【００５６】
これにより、液晶モジュール１００の周辺領域に、ＬＥＤ１１３から光が輝度均一板１０７を回り込んで入る。この光によって、ＬＥＤ１１３から遠い周辺領域における明るさが補償される結果、液晶モジュール１００は、画面の中心から周辺領域にわたって輝度の均一性のより高い表示が可能となる。
【００５７】
（実施の形態３）
図８は、実施の形態３に係る液晶モジュール１００の構成を説明するための模式断面図である。図８に示されるのは、図５及び図７と同様に、下フレーム１１１の平坦部１１１Ａから上側の側壁部１１１Ｂに跨る部分を含む液晶モジュール１００の一部の断面である。ただし、図８では、液晶モジュール１００の構成のうち、この説明に必要ないものは図示を省略している。また、図４までと共通の構成も、見やすさを考慮してより簡略化した図形で示している。図８中の楔形は、図５及び図７と同様に、横方向から見た表示パネル１０２の有効領域の上側の外縁（上端）の位置を指す。平坦部１１１Ａから下側又は左右の側壁部１１１Ｂに跨る部分でも液晶モジュール１００の構成は共通である。
【００５８】
以下、実施の形態１との差異を中心に説明する。
【００５９】
図８に示されるように、実施の形態３に係る液晶モジュール１００では、下フレーム１１１の側壁部１１１Ｂが、その外縁を起点として拡散板１０６に向かって立設する立ち壁１１１０を有する。また、輝度均一板１０７の外縁は、側壁部１１１Ｂの外縁に到達して立ち壁１１１０の起点と略一致する。これにより、図５に示される液晶モジュール１００と比較して、拡散板１０６と輝度均一板１０７との間に立ち壁１１１０の高さ（ｚ軸方向の寸法）に略等しい距離が確保される。
【００６０】
実施の形態１の構成では、表示パネル１０２の有効領域の外縁近傍で、輝度均一板１０７の外縁が拡散板１０６の極近くに達する。この場合、この有効領域の外縁近傍で、輝度均一板１０７の影が拡散板１０６に落ち、この影と影以外の部分との明るさの差は、ユーザが視認可能な輝度のムラとして画面に現れ得る。しかし、上記の構成によって拡散板１０６と輝度均一板１０７との間に所定の距離を確保することで、拡散板１０６に落ちる輝度均一板１０７の影の発生を防ぐか、又は少なくともこのような影を薄くすることができる。
【００６１】
立ち壁１１１０は、表示パネル１０２の有効領域の略直下に位置してもよい。また、より望ましくは、立ち壁１１１０は当該有効領域から１〜２ミリメートル程度外側に位置してもよい。これにより、表示パネル１０２全体を、輝度均一板１０７を透過した光の照射範囲に、より確実に包含させることができる。
【００６２】
実施の形態３に係る液晶モジュール１００においても、ＬＥＤ１１３からの光は、輝度均一板１０７に沿う反射シート１０８との間を反射しながら進んで上記の有効領域の外縁の極近傍にまで到達する。その一方で、拡散板１０６と輝度均一板１０７との間には所定の距離が確保されるため、拡散板１０６に落ちる輝度均一板１０７の影の発生が防止されたり、又は影が薄められたりして、ユーザが視認可能な輝度のムラの発生を抑えることができる。これにより、本実施の形態に係る液晶モジュール１００は、画面の中心から周辺領域にわたって輝度の均一性のより高い表示が可能となる。
【００６３】
なお、立ち壁１１１０の寸法に関する一実施例を挙げると、例えば下フレーム１１１と拡散板１０６との距離が２０ミリメートル、下フレーム１１１と輝度均一板１０７との距離が１０ミリメートルの場合、高さ３ミリメートル程度の立ち壁１１１０が設けられてもよい。ただし、これらの寸法は、液晶モジュール１００全体の大きさ又は求められる外観、配置されるＬＥＤ１１３の密度又は発光強度等に応じて調整のために設計上変更されるものであり、本実施の形態に係る液晶モジュール１００の構成を限定するものではない。
【００６４】
また、立ち壁１１１０がより高ければ、拡散板１０６上への輝度均一板１０７の影の発生を抑える効果はより高まるが、画像表示装置１０を薄く見せにくくなる。立ち壁１１１０の高さは、この点を考慮して決定されるのが望ましい。
【００６５】
上述した本実施の形態に係る画像表示装置１０では、側壁部１１１Ｂは、外縁を起点として拡散板１０６に向かって立設する立ち壁１１１０を有し、輝度均一板１０７の外縁は、拡散板１０６の起点と略一致する。
【００６６】
このような画像表示装置１０では、拡散板１０６と、輝度均一板１０７において拡散板１０６に最も近い外縁との間に、立ち壁１１１０の高さに応じた間隔が確保される。これにより、拡散板１０６に落ちる輝度均一板１０７の影の発生が防止されたり、又は影が薄められたりする。画像表示装置１０は、画面の中心から周辺領域にわたって輝度の均一性のより高い表示が可能である。
【００６７】
（実施の形態３の変形例）
実施の形態１又は３における輝度均一板１０７の曲面的な形状は、成形された輝度均一板１０７そのものの形状であってもよい。しかしながら、上述のとおり樹脂製のシート状である輝度均一板１０７が備える可撓性を利用して、本来は平坦な形状で、表示パネル１０２の有効領域よりも大きい外形寸法を持つ輝度均一板１０７の外縁を下フレーム１１１に当接させて撓ませることでそのような形状を持たせてもよい。この場合、輝度均一板１０７はそれ自体が備える弾性によって下フレーム１１１に突っ張り、下フレーム１１１に支持される。このとき、輝度均一板１０７に生じる応力の影響で、サポートピン１１２によって固定されている箇所の周辺で輝度均一板１０７に上下方向（ｚ軸方向）の撓みが生じ得る。図９は、実施の形態３に係る液晶モジュール１００において生じるこのような撓みを説明するための模式断面図である。図９に示されるのは、図５等と同様に、下フレーム１１１の平坦部１１１Ａから上側の側壁部１１１Ｂに跨る部分を含む液晶モジュール１００の一部の断面である。
【００６８】
図９では、横方向の両矢印Ｄ１で示す範囲で輝度均一板１０７に上下方向の撓みが見られる。縦方向の両矢印Ｄ２は、この撓みの上下方向の大きさを示す。
【００６９】
輝度均一板１０７において図９に示されるような撓みがある範囲では、各ＬＥＤ１１３と輝度均一板１０７のとの距離に不測のばらつきがあり、ＬＥＤ１１３からの距離に応じて決定された径の孔では、光の配向特性を思うように調整することが困難である。つまり、画像表示装置１０の画面上では、ユーザに視認され得る輝度のムラが現れるという問題がある。以下では、図１０及び図１１を用いてこのような問題を解決するための構成を説明する。
【００７０】
図１０は、本変形例に係る液晶モジュール１００の構成を説明するための模式断面図である。また、図１１は、本変形例に係る液晶モジュール１００の構成を説明するための模式的な正面図である。図１０に示されるのは、図９等と同様に、下フレーム１１１の平坦部１１１Ａから上側の側壁部１１１Ｂに跨る部分を含む液晶モジュール１００の一部の断面である。図１１に示されるのは、正面（表示パネル１０２のある側）から見た下フレーム１１１の右上角を含む一部である。ただし、図１０及び図１１では、液晶モジュール１００の構成のうち、本変形例の説明に必要ないものは図示を省略している。また、図４までと共通の構成も、見やすさを考慮してより簡略化した図形で示している。図１１中の破線は谷折状の箇所を示し、一点鎖線は、行列方向に隣接する２個のＬＥＤ１１３から等距離の点を結ぶ仮想の直線である。
【００７１】
本変形例に係る液晶モジュール１００では、サポートピン１１２が配置される仮想の直線（図１１の一点鎖線）上に、さらに柱状の補助サポートピン１１４を備える。補助サポートピン１１４もまた、輝度均一板１０７を拡散板１０６と下フレーム１１１との間で支持する。補助サポートピン１１４が輝度均一板１０７を支持するｚ軸方向の位置、言い換えると、下フレーム１１１からの高さは、サポートピン１１２が支持する高さと同じである。
【００７２】
補助サポートピン１１４は、同一直線上で隣り合う２本を一組とすると、一組の補助サポートピン１１４は、複数のサポートピン１１２及び複数のＬＥＤ１１３よりも平坦部１１１Ａの外縁に近い位置にある。また、一組の補助サポートピン１１４間の間隔は、複数のサポートピン１１２間の間隔よりも狭い。
【００７３】
補助サポートピン１１４同士のより狭い間隔では、上記の応力の影響による輝度均一板１０７の上下方向の撓みがより小さく収束する（図１０の両矢印Ｄ４）。
【００７４】
また、補助サポートピン１１４を平坦部１１１Ａにおいて複数のＬＥＤ１１３よりも平坦部１１１Ａの外縁に近い位置に配置するのは、輝度均一板１０７における撓みのない連続的に平坦な範囲を、行列状に並ぶ複数のＬＥＤ１１３が直下にある、より内側の領域で広く確保するためである。本変形例では、図１０に示されるように、この領域の外側にあるより狭い範囲（図１０の両矢印Ｄ３）で輝度均一板１０７の撓みが抑えられている。
【００７５】
なお、補助サポートピン１１４を上記の直線上に配置するのは、いずれのＬＥＤ１１３からも極力距離をおくことで、補助サポートピン１１４がＬＥＤ１１３からの光を遮ってできる、側壁部１１１Ｂに向かって伸びる影の影響を最小限に抑えるためである。
【００７６】
これにより、本変形例に係る液晶モジュール１００は、画面の中心から周辺領域にわたって輝度の均一性のより高い表示が可能となる。
【００７７】
なお、上記では補助サポートピン１１４は２本で一組としたが、撓みを抑えるための必要性に応じて３本以上で一組をなしてもよい。ただし上記のように、補助サポートピン１１４がＬＥＤ１１３からの光を遮って生じさせる影は輝度の均一性に影響を与えるため、できるだけ少量が望ましい。
【００７８】
また、平坦部１１１Ａに略等間隔で行列状に配置された複数のサポートピン１１２のうち、各行及び列の一端に位置するサポートピン１１２と、このサポートピン１１２からより短い間隔で設ける１本以上の補助サポートピンとを一組の補助サポートピン１１４と解釈してもよい。
【００７９】
また、３本以上の補助サポートピン１１４を一組とする場合、補助サポートピン間の間隔は均等でなくてもよい。
【００８０】
また、補助サポートピン１１４は、輝度均一板１０７の撓みを抑えるために、輝度均一板１０７を下フレーム１１１から所定の高さで支持し、この高さはサポートピン１１２が輝度均一板１０７を支持する高さと共通である。しかし、拡散板１０６については、サポートピン１１２のようにすべての補助サポートピン１１４で支える必要はない。例えば一組の補助サポートピン１１４のうち、１本を除く他の補助サポートピン１１４は、輝度均一板１０７を支持する高さと構造、例えば輝度均一板１０７を所定の高さで挟む２枚のフランジを備え、サポートピン１１２よりも短くてもよい。これにより、輝度均一板１０７を透過した光が補助サポートピン１１４によって遮られる量を、図８のような補助サポートピン１１４のない構成と同程度に抑えることができる。また、これに関連し、補助サポートピン１１４の形状はサポートピン１１２と共通でなくてもよく、例えばサポートピン１１２より細くてもよい。これにより、側壁部１１１Ｂに落ちる影の影響をより抑えることができる。
【００８１】
また、実施の形態３の変形例として説明した上記の構成は、実施の形態１の変形例としても適用可能である。立ち壁１１１０のない実施の形態１に係る液晶モジュール１００の構成では、周辺領域での輝度均一板１０７の湾曲量（ｚ軸方向の高さの差）がより大きいため、より内側の領域での撓み量が大きくなり得る。したがって、補助サポートピン１１４が設けられて撓みが抑制されることで、液晶モジュール１００は、画面の中心から周辺領域にわたって輝度の均一性のより高い表示が可能となる。
【００８２】
上述した本変形例に係る画像表示装置１０では、複数のサポートピン１１２は、光源である複数のＬＥＤ１１３のうち、行列方向に隣接する２個のＬＥＤ１１３から等距離の点を結ぶ直線上に位置する。また、画像表示装置１０は、さらに、上記の直線上であって、複数のサポートピン１１２及び複数のＬＥＤ１１３よりも平坦部１１１Ａの外縁に近い位置において、輝度均一板１０７を下フレーム１１１と拡散板１０６との間で支持する、少なくとも２本で一組の、柱状の補助サポートピン１１４を備える。この一組の補助サポートピン１１４間の間隔は、複数のサポートピン１１２間の間隔よりも狭い。
【００８３】
このような画像表示装置１０では、輝度均一板１０７に応力の影響で生じ得る撓みの湾曲量が補助サポートピン１１４で抑えられる。これにより、ＬＥＤ１１３と輝度均一板１０７との距離のばらつきが抑えられるため、輝度均一板１０７による光の配向特性の調整の効果は、設計の意図により近いものが得られる。また、補助サポートピン１１４は輝度均一板１０７の外縁寄りに位置するため、輝度均一板１０７においてより広く連続する平坦な領域が得られる。これにより、画像表示装置１０は、画面の中心から周辺にわたって連続する領域で輝度の均一性のより高い表示が可能である。
【００８４】
（他の実施の形態）
以上のように、本出願において開示する技術の例示として、実施の形態を説明した。しかしながら、本開示における技術は、これらに限定されず、適宜、変更、置き換え、付加、省略などを行った実施の形態にも適用可能である。
【００８５】
例えば、上記では複数のＬＥＤ１１３を光源として説明したが、上記の各実施の形態及び変形例は、ＬＥＤ以外の光源が用いられている直下型バックライト方式の画像表示装置にも適用可能である。各実施の形態又は変形例が適用される画像表示装置のＬＥＤ以外の光源としては、例えば冷陰極管及び蛍光管が挙げられる。
【００８６】
また、光源からの光を反射して有効領域の外縁まで導くための構成のひとつとして、サポートピン１１２と下フレーム１１１とで挟んで支持される反射シート１０８を挙げたが、画像表示装置１０の構成はこれに限定されない。例えば下フレーム１１１の正面側の面全体が光反射率の高い素材でコーティングされてもよいし、下フレーム１１１自体が光反射率の高い素材で作られてもよい。この意味で、反射材としての反射シート１０８と下フレーム１１１とは同一視してもよく、例えば上記の説明における輝度均一板１０７と下フレーム１１１との距離は、輝度均一板１０７と反射シート１０８との距離と同義に解釈することができる。
【００８７】
また、画像表示装置１０は例えば液晶テレビであると説明したが、他の例として、パーソナルコンピュータ用のモニタディスプレイ、デジタルサイネージ用のディスプレイが挙げあられる。
【００８８】
また、上述の各実施の形態及びその変形例で説明した各構成要素を組み合わせて、新たな実施の形態とすることも可能である。
【００８９】
また、上述の実施の形態及びその変形例は、本開示における技術を例示するためのものであるから、請求の範囲又はその均等の範囲において種々の変更、置き換え、付加、省略などを行うことができる。
【産業上の利用可能性】
【００９０】
本開示は、例えば周辺部分の厚さを他の部分より抑えたことでより薄く見える外観を備える画像表示装置に適用可能である。より具体的には、テレビジョン受像機、モニタディスプレイ、又はデジタルサイネージ用ディスプレイ等に本開示は適用可能である。
【符号の説明】
【００９１】
１０  画像表示装置
１００  液晶モジュール
１０１  ベゼル
１０２  表示パネル
１０３  バックカバー
１０４  モールドフレーム
１０５  光学シートユニット
１０６  拡散板
１０７  輝度均一板
１０８  反射シート
１０９  ＬＥＤシート
１１０  中継シート
１１１  下フレーム
１１１Ａ  平坦部
１１１Ｂ  側壁部
１１２  サポートピン
１１２Ａ  先端部
１１２Ｂ  フランジ部
１１３  ＬＥＤ（光源）
１１４  補助サポートピン
２００  スタンド
１１１０  立ち壁
【手続補正２】
【補正対象書類名】特許請求の範囲
【補正対象項目名】全文
【補正方法】変更
【補正の内容】
【特許請求の範囲】
【請求項１】
表示パネルと、
前記表示パネルの有効領域より小さい略平坦な面を有する平坦部、及び前記平坦部の外縁から立ち上がり、正面視において前記有効領域の外縁に達する側壁部を含む下フレームと、
前記平坦部に略等間隔で行列状に配置される複数の光源と、
前記複数の光源のそれぞれとは離れた前記平坦部上の位置で、略等間隔の行列状に配置される、柱状の複数のサポートピンと、
前記複数のサポートピンの先端部及び前記下フレームで支持され、入射する前記複数の光源の出射光を拡散して前記表示パネルに向けて出射する板状の拡散板と、
前記複数のサポートピンの途中で、前記拡散板と前記下フレームとの間に支持され、外縁が前記有効領域の外縁と略一致し、前記複数の光源の出射光の一部を前記拡散板がある側に透過させるシート状の輝度均一板とを備え、
前記輝度均一板は、前記下フレームとの距離が前記平坦部の外縁から前記側壁部の外縁にかけて漸減するよう、前記拡散板と前記側壁部との間で前記側壁部側に湾曲する
画像表示装置。
【請求項２】
前記側壁部は、外縁を起点として前記拡散板に向かって立設する立ち壁を有し、
前記輝度均一板の外縁は、前記起点と略一致する
請求項１に記載の画像表示装置。
【請求項３】
前記複数のサポートピンは、前記複数の光源のうち、行列方向に隣接する２個の光源から等距離の点を結ぶ直線上に位置し、
さらに、前記直線上であって、前記複数のサポートピン及び前記複数の光源よりも前記平坦部の外縁に近い位置において、前記輝度均一板を前記下フレームと前記拡散板との間で支持する、少なくとも２本で一組の、柱状の補助サポートピンを備え、
前記一組の補助サポートピン間の間隔は、前記複数のサポートピン間の間隔よりも狭い
請求項１又は２に記載の画像表示装置。
【手続補正３】
【補正対象書類名】図面
【補正対象項目名】全図
【補正方法】変更
【補正の内容】
【図１】
2018147268.tif 000014
【図２】
2018147268.tif 000015
【図３】
2018147268.tif 000016
【図４】
2018147268.tif 000017
【図５】
2018147268.tif 000018
【図６】
2018147268.tif 000019
【図７】
2018147268.tif 000020
【図８】
2018147268.tif 000021
【図９】
2018147268.tif 000022
【図１０】
2018147268.tif 000023
【図１１】
2018147268.tif 000024
【国際調査報告】
2018147268.tif 000025
2018147268.tif 000026
2018147268.tif 000027
2018147268.tif 000028